(57)【特許請求の範囲】
【請求項１】
複数の遊技カード情報の情報書込形式を記憶したカード交換会社の管理装置と電気的に連絡し、ある遊技店発行の遊技カードとは情報書込形式の異なる他遊技店発行の遊技カードの有価価値情報を前記ある遊技店であるところの当該遊技店で使用可能な遊技カードに移動するカード情報交換装置を備えたカード情報交換システムであって、
前記カード情報交換装置には、
情報書込形式の異なる他遊技店発行の遊技カードの情報を読み取る他店カード情報読取手段と、
該他店カード情報読取手段により読み取った他遊技店発行の遊技カードの情報を、前記カード交換会社の管理装置へ送信する他店カード情報送信手段と、
該他店カード情報送信手段により前記カード交換会社に送信した他遊技店発行の遊技カードの情報に対応して、前記カード交換会社から送信されてきた他遊技店発行の遊技カードの有価価値情報を受け取る有価価値情報受取手段と、
該有価価値情報受取手段で受け取った他遊技店発行の遊技カードの有価価値情報に基づいて、前記当該遊技店で使用可能な遊技カードに有価価値情報を書き込む有価価値情報書込手段と、
前記有価価値情報受取手段により受け取った有価価値情報を記憶する有価価値情報記憶手段と、
前記有価価値情報書込手段により有価価値情報を書き込んだ遊技カードを、遊技可能な状態にして排出する遊技カード排出手段と、
前記当該遊技店発行の遊技カードの認識情報を読み込む認識情報確認手段と、
前記認識情報確認手段により読み込んだ当該遊技カードの認識情報に基づき、前記カード交換会社の管理装置に対して、前記当該遊技店発行の遊技カードへの情報書込形式に関する情報の送信を要求する書込形式情報要求手段と、
を備え、
前記カード交換会社の管理装置には、
前記他店カード情報送信手段により送信されてきた他遊技店発行の遊技カードの情報を、予め記憶している複数の遊技カード情報の情報書込形式のうちから対応する情報書込形式に基づいて解析するカード情報解析手段と、
該カード情報解析手段により解析した他遊技店発行の遊技カードの有価価値情報を、前記カード情報交換装置へ送信する有価価値情報送信手段と、
前記書込形式情報要求手段からの送信要求に基づいて、予め記憶している複数の遊技カード情報の情報書込形式のうち、前記当該遊技店発行の遊技カードへの情報書込形式に関する情報を送信する書込形式情報送信手段と、
を備え、
前記有価価値情報書込手段は、前記書込形式情報送信手段により送信されてきた情報書込形式にしたがって、前記当該遊技店で使用可能な遊技カードに有価価値情報を書き込むことを特徴とするカード情報交換システム。
【発明の詳細な説明】
【０００１】
【産業上の利用分野】
この発明は、情報の書込形式の異なる複数のプリペイドカードに記憶した有価価値情報の交換を行うためのカード情報交換システムに関し、例えば、プリペイド方式の遊技カードを使用してパチンコ遊技などを行わせるカード式遊技設備において、情報の書込形式が異なるため、当該カード式遊技設備では使用不可能な遊技カードの有価価値を読み取って、当該カード式遊技設備において使用可能な遊技カードに記憶することができるカード情報交換システムに関する。
【０００２】
【従来の技術】
近年、予めプリペイドカードを購入させ、このプリペイドカードを現金の代わりに使用することができるプリペイドカードシステムが普及してきている。このプリペイドカードシステムは、複数の機関により採用されて、複数種類のプリペイドカードが発行されている。そして、このプリペイドカードは、例えば、交通機関の利用、公衆電話の利用、コンビニエンスストアにおける買い物、遊技店における遊技等に使用することができる。
【０００３】
【発明が解決しようとする課題】
しかし、各機関で発行されるプリペイドカードは、情報書込形式等に共通性がないため、複数の機関で発行されたプリペイドカードを共用することはできない。例えば、交通機関で利用できるプリペイドカードは、公衆電話や、遊技店における遊技では使用することができない。
【０００４】
このため、プリペイドカードの利用者は、予め、それぞれの機関で使用できる複数種類のプリペイドカードを所有していなければならず、利用者にとって大きな負担となるという問題があった。
【０００５】
また、利用者は、利用頻度の少ないプリペイドカードを購入してしまうこともあり、プリペイドカードの残高が無駄になってしまうという問題があった。
例えば、遊技店の遊技において使用するプリペイド方式の遊技カードの場合には、全国共通の遊技カードが発行されているが、この遊技カードを発行している機関が複数存在し、それぞれの遊技カードでは、情報の記憶形式が異なっている。また、日本全国を複数のブロックに区画して、ブロックごとに異なる情報書込形式を採用してカードを発行している場合や、チェーン加盟店でのみ使用できる所謂ハウスカードを発行している場合もあり、この場合にも、チェーンごとにカードの情報書込形式が異なる。
【０００６】
このため、ある機関で発行した遊技カードは、当該機関に属するグループの遊技店以外では使用することができずに、遊技者は、利用する遊技店のグループ毎に複数の遊技カードを購入しなければならないという問題があった。
【０００７】
また、利用頻度の少ないグループに属する遊技カードを購入してしまった場合には、当該遊技カードの残高が無駄になってしまい、遊技者に不利益を与えてしまい、ひいては遊技店における遊技の興趣を損ねるという問題があった。
【０００８】
本発明は、上記した従来の技術の有する問題点に鑑み、情報の記憶形式が異なるプリペイドカードに記憶した有価価値情報を読み取って、他の情報の記憶形式に変換することにより、プリペイドカードの利用性を高めるとともに、プリペイドカードの残高を無駄にすることがないカード情報交換システムを提供することを目的とする。
【０００９】
【課題を解決するための手段】
上記した目的を達成するため、本発明は、複数の遊技カード情報の情報書込形式を記憶したカード交換会社の管理装置と電気的に連絡し、ある遊技店発行の遊技カードとは情報書込形式の異なる他遊技店発行の遊技カードの有価価値情報を前記ある遊技店であるところの当該遊技店で使用可能な遊技カードに移動するカード情報交換装置を備えたカード情報交換システムであって、
前記カード情報交換装置には、
情報書込形式の異なる他遊技店発行の遊技カードの情報を読み取る他店カード情報読取手段と、
該他店カード情報読取手段により読み取った他遊技店発行の遊技カードの情報を、前記カード交換会社の管理装置へ送信する他店カード情報送信手段と、
該他店カード情報送信手段により前記カード交換会社に送信した他遊技店発行の遊技カードの情報に対応して、前記カード交換会社から送信されてきた他遊技店発行の遊技カードの有価価値情報を受け取る有価価値情報受取手段と、
該有価価値情報受取手段で受け取った他遊技店発行の遊技カードの有価価値情報に基づいて、前記当該遊技店で使用可能な遊技カードに有価価値情報を書き込む有価価値情報書込手段と、
前記有価価値情報受取手段により受け取った有価価値情報を記憶する有価価値情報記憶手段と、
前記有価価値情報書込手段により有価価値情報を書き込んだ遊技カードを、遊技可能な状態にして排出する遊技カード排出手段と、
前記当該遊技店発行の遊技カードの認識情報を読み込む認識情報確認手段と、
前記認識情報確認手段により読み込んだ当該遊技カードの認識情報に基づき、前記カード交換会社の管理装置に対して、前記当該遊技店発行の遊技カードへの情報書込形式に関する情報の送信を要求する書込形式情報要求手段と、
を備え、
前記カード交換会社の管理装置には、
前記他店カード情報送信手段により送信されてきた他遊技店発行の遊技カードの情報を、予め記憶している複数の遊技カード情報の情報書込形式のうちから対応する情報書込形式に基づいて解析するカード情報解析手段と、
該カード情報解析手段により解析した他遊技店発行の遊技カードの有価価値情報を、前記カード情報交換装置へ送信する有価価値情報送信手段と、
前記書込形式情報要求手段からの送信要求に基づいて、予め記憶している複数の遊技カード情報の情報書込形式のうち、前記当該遊技店発行の遊技カードへの情報書込形式に関する情報を送信する書込形式情報送信手段と、
を備え、
前記有価価値情報書込手段は、前記書込形式情報送信手段により送信されてきた情報書込形式にしたがって、前記当該遊技店で使用可能な遊技カードに有価価値情報を書き込むことを特徴とする。
【００１３】
【作用】
本発明では、ある遊技店により発行された遊技カードとは情報書込形式の異なる他遊技店により発行された遊技カードを、前記ある遊技店であるところの当該遊技店において使用しようとする場合には、この遊技カードに記憶した有価価値情報をカード情報交換装置により、前記当該遊技店で使用可能な遊技カードに移動する。
【００１８】
このカード情報交換装置によるカード情報の交換では、まず、他店カード情報読取手段により、情報書込形式の異なる他遊技店発行の遊技カードの情報を読み取る。
【００１９】
次に、他店カード情報送信手段により、他店カード情報読取手段により読み取った他遊技店発行の遊技カードの情報を、前記カード交換会社の管理装置へ送信する。
【００２０】
カード交換会社の管理装置では、カード情報解析手段により、他店カード情報送信手段により送信されてきた他遊技店発行の遊技カードの情報を、予め記憶している書込形式に基づいて解析し、有価価値情報送信手段により、カード情報解析手段により解析した遊技カードの有価価値情報を、カード情報交換装置へ送信する。
【００２１】
そして、カード情報交換装置の有価価値情報受取手段により、カード交換会社から送信されてきた他遊技店発行の遊技カードの有価価値情報を受け取る。
【００２２】
次に、有価価値情報書込手段により、有価価値情報受取手段で受け取った他遊技店発行の遊技カードの有価価値情報に基づいて、当該遊技店で使用可能な遊技カードに有価価値情報を書き込む。
【００２３】
次に、遊技カード排出手段により、有価価値情報書込手段で有価価値情報を書き込んだ遊技カードを、遊技可能な状態にして排出する。
【００２４】
このようにして情報交換を行うことにより、遊技カード利用者は、情報書込形式の異なる遊技カードを使用することができる。
したがって、遊技者は、予め、利用する遊技店のグループ毎に複数種類の遊技カードを購入する必要がなく、遊技者の負担を軽減することができる。また、利用頻度の少ないグループに属する遊技カードを購入してしまった場合であっても、当該遊技カードの残高が無駄になって、遊技者に不利益を与えることがなく、遊技店における遊技の興趣を損ねることがない。
【００２５】
また、カード情報交換装置におけるカード情報の交換において、認識情報確認手段により、当該遊技店発行の遊技カードの認識情報を読み込んで確認し、書込形式情報要求手段により、認識情報確認手段により読み込んだ当該遊技カードの認識情報に基づき、カード交換会社の管理装置に対して、当該遊技店発行の遊技カードへの情報書込形式に関する情報の送信を要求する。
【００２６】
カード交換会社の管理装置では、書込形式情報送信手段により、書込形式情報要求手段からの送信要求に基づいて、予め記憶している当該遊技店発行の遊技カードへの情報書込形式に関する情報を送信する。
【００２７】
そして、有価価値情報書込手段では、書込形式情報送信手段により送信されてきた書込形式にしたがって、当該遊技店で使用可能な遊技カードに有価価値情報を書き込む。
【００２８】
したがって、有価価値情報書込手段により、遊技カードに有価価値情報を書き込む際に、その書込形式は、カード交換会社の管理装置から送られてくるため、カード情報交換装置を複数種類の書込形式に対応させることができる。すなわち、異なる種類の書込形式に対応させてカード情報交換装置を使用することができるので、カード情報交換装置の汎用性を高めることができる。また、遊技カードに対する情報の書込形式が、カード交換会社の管理装置により管理されているので、遊技カードに対するセキュリティを向上させることができる。
【００２９】
また、カード情報交換装置におけるカード情報の交換において、有価価値情報記憶手段により、有価価値情報受取手段により受け取った有価価値情報を記憶する。
【００３０】
したがって、遊技カードの情報交換を行った遊技店において、情報交換履歴を記憶しておくことができるので、カード交換会社との間における精算に対する信頼性を高めることができる。
【００３１】
【実施例】
以下、図面に基づいて、本発明の実施例を説明する。
なお、以下に説明する実施例では、代表的なプリペイドカード利用設備として、遊技カードを使用してパチンコ遊技やパチスロ遊技を行わせるパチンコ店を示してある。
【００３２】
図１は、パチンコ店における各装置の概略配置を示したブロック図であり、図２は、パチンコ店と、遊技カードの発行及び精算を管理するカード会社と、カード情報の交換及び精算を管理するカード交換会社との関係を示す説明図である。
【００３３】
図１に示すように、パチンコ店１（遊技店）内には、複数のパチンコ機２（遊技機）と、遊技カード３を販売するためのカード発行機４と、パチンコ機２，２間に配設されて遊技媒体であるパチンコ球を排出するためのカード式台間玉貸機５と、遊技者が獲得したパチンコ球を計数するための玉計数機６と、カード交換発行装置７等が配設してある。そして、パチンコ機２と玉計数機６とは、電気配線からなる第１店内伝送路８を介して管理装置９と電気的に連絡しており、カード発行機４とカード式台間玉貸機５は、赤外線通信を利用して中継器１０と電気的に連絡し、中継器１０は、電気配線からなる第２店内伝送路１１を介してカードデータ転送装置１２と電気的に連絡し、カードデータ転送装置１２は、電気配線からなる第３店内伝送路１３を介して管理装置９と電気的に連絡している。
【００３４】
上記したカードデータ転送装置１２は、カード発行機４における遊技カード３の発行状況や、カード式台間玉貸機５における遊技カード３の使用状況等をカード会社に設置した管理装置１４に転送するための装置であり、電話回線１５等を介して、カード会社に設置した管理装置１４と電気的に連絡している。
【００３５】
上記したカード交換発行装置７は、カード情報交換装置として機能して、情報記憶形式の異なる遊技カード３の情報交換を行うための装置であり、電話回線１６等を介してカード交換会社に設けたデータ収集装置１７（管理装置８１）と電気的に連絡して、カード交換に関する情報の授受を行っている。
【００３６】
また、カード会社に設けた管理装置１４と、カード交換会社に設けたデータ収集装置１７（管理装置８１）とは、電話回線１８等により電気的に連絡していて、両者の間で、カード交換に伴う情報の授受を行っている。
【００３７】
本発明に係るカード情報交換システムは、図２に示すように、上記したような構成からなるパチンコ店１が複数存在する。図２に示したカード情報交換システムでは、情報記憶形式（Ａ）のＡ遊技カード３ａを使用するＡパチンコ店１ａと、情報記憶形式（Ｂ）をＢ遊技カード３ｂを使用するＢパチンコ店１ｂとがあり、Ａ遊技カード３ａは、Ａカード会社（管理装置１４ａ）により、その発行及び精算が管理され、Ｂ遊技カード３ｂは、Ｂカード会社（管理装置１４ｂ）により、その発行及び精算が管理されている。
【００３８】
また、カード交換会社にはデータ収集装置１７（管理装置８１）が設けてあり、このデータ収集装置１７（管理装置８１）が、Ａカード会社の管理装置１４ａと、Ｂカード会社の管理装置１４ｂと、Ｂパチンコ店１ｂに設置したカード交換発行装置７と電気的に連絡している。なお、このデータ収集装置１７は、カード交換会社に設置した管理装置８１により管理制御される装置であり、管理装置８１内に一体に設けてもよいし、管理装置８１とは独立した装置として設けてもよい。また、図２に示した実施例では、説明の簡略化のために、カード交換発行装置７をＢパチンコ店１ｂ内にのみ設置したが、もちろん、Ａパチンコ店１ａ内にカード交換発行装置７を設置してもよい。
【００３９】
パチンコ店１内に設置するカード交換発行装置７を、図３から図５に基づいて説明する。
図３はカード交換発行装置の正面図であり、図４（Ａ）は交換遊技カード発行用の第１カードリーダライタ装置の正面図であり、図４（Ｂ）は交換遊技カード発行用の第１カードリーダライタの内部構造を示した側面図であり、図５はカード交換発行装置及びこれを電気的に制御する電気的制御装置の概略構成を示すブロック図である。
【００４０】
カード交換発行装置７は、カード情報交換装置として機能する装置で、図３に示すように、箱状の本体２０の前面のほぼ中央に、当該パチンコ店１で使用可能な遊技カード３を発行するための遊技カード発行口２１と、他パチンコ店発行の遊技カード３を挿入するための遊技カード挿入口２２と、交換手数料としての硬貨を投入するための硬貨投入口２３とが設けてあり、上部には、各種表示を行うための液晶表示装置等からなる表示装置２４が設けてある。
【００４１】
また、箱体２０の内部には、遊技カード発行口２１に連通する位置に、当該パチンコ店１で使用可能な遊技カード３を発行する第１カードリーダライタ装置２５を設け、この第１カードリーダライタ装置２５の上方に、第１カードリーダライタ装置２５から発行する遊技カード３を貯留するカードストック装置２６を設け、遊技カード挿入口２２に連通する位置に、他店遊技カード３に記憶した情報の読み書きを行うための第２カードリーダライタ装置２７を設けるとともに、この第２カードリーダライタ装置２７の下方に、他店遊技カード３を回収するための回収装置２８を設け、硬貨投入口２３に連通する位置に、投入された硬貨の真偽を判別するための硬貨判別装置２９を設け、硬貨判別装置２９の下方には投入された硬貨を貯留するための硬貨ストック装置３０が設けてある。
【００４２】
また、箱体２０の内部の下方には、カード交換発行装置７を電気的に制御するための電気的制御装置３１を設け、この電気的制御装置３１の上方には、プリンタ３２と、ブザー３３とが設けてある。
【００４３】
上記した第２カードリーダライタ装置２７が、他機関カード情報読取手段あるいは他店カード情報読取手段として機能する。
【００４４】
上記したカード交換発行装置７では、遊技カード挿入口２２から他店発行の遊技カード３を挿入すると、第２カードリーダライタ装置２７により、他店発行の遊技カード３に記憶された情報が読み込まれるとともに、この他店発行の遊技カード３が回収装置２８により回収される。
【００４５】
さらに、カード交換に必要な手数料が、硬貨投入口２３から硬貨判別装置２９に投入されると、所定の手順に基づき、他店発行の遊技カード３に記憶した有価価値情報を、当該パチンコ店１で使用可能な情報記憶方式に変換して、この変換した有価価値情報が記憶された遊技カード３を第１カードリーダライタ装置２５によって発行し、遊技カード発行口２１からカード交換発行装置７外へ排出する。
【００４６】
情報交換を行って当該遊技店で使用可能な交換遊技カード３を発行する第１カードリーダライタ装置２５は、図４に示すように、上部にカードストック装置２６を装着して、カードストック装置２６内に装填された遊技カード３を１枚宛発行するための装置であり、第１カードリーダライタ装置２５の前方上部に設けたカードストック装置２６の装着位置から遊技カード発行口２１に向かってＵ字状のカード搬送路４０を設けてある。そして、このカード搬送路４０には、カードストック装置２６の装着位置から第１カードリーダライタ装置２５の奥に向かって、カード取出装置４１と、カード鑑定装置４２と、情報書込装置４３を設け、遊技カード３の折り返し位置にはカード転送装置４４を設け、遊技カード発行口２１に向かって折り返したカード搬送路４０には、不具合カード回収装置４５と、カード導出装置４６とが設けてある。また、不具合カード回収装置４５内のカード搬送路４０からは、不具合カード搬送路４７が分岐しており、不具合カード搬送路４７は、第１カードリーダライタ装置２５の下部に設けたカード回収タンク４８に連通している。また、カードストック装置２６を装着した場合に、遊技カード取出口４９が対向する位置には、カードセンサ５０が設けてある。
【００４７】
また、カードストック装置２６の背面には、当該パチンコ店１で使用可能な遊技カード３の認識情報を読み込むための認識情報読込端子５１が設けてある。この認識情報読込端子５１に信号線を接続することにより、カード交換発行装置７が、遊技カード３の認識情報を受け取るのである。
【００４８】
この第１カードリーダライタ装置２５では、カード取出装置４１によりカードストック装置２６の遊技カード取出口４９から遊技カード３が１枚ずつ取り出される。そして、取り出された遊技カード３は、カード搬送路４０上を第１カードリーダライタ装置２５の奥に向かって搬送され、第１カードリーダライタ装置２５の最奥部まで達した遊技カード３は、カード転送装置４４により搬送方向が反転され、遊技カード発行口２１に向かってさらに搬送される。遊技カード３は、カード搬送路４０上を搬送される過程で、カード鑑定装置４２により真偽が鑑定されるとともに、情報書込装置４３により他店発行の遊技カード３から交換する情報が書き込まれ、正規の遊技カード３は、遊技カード発行口２１へ向かって搬送されて、遊技カード発行口２１から排出される。一方、不具合が存在する遊技カード３は、不具合カード回収装置４５により搬送路が不具合カード搬送路４７に切り替えられて、カード回収タンク４８内に没収される。また、カードストック装置２６の装着位置に設けたカードセンサ５０が、遊技カード３を検出しなくなると、カードストック装置２６内に装填された遊技カード３が無くなった旨の信号が、管理装置９等に対して送信される。
【００４９】
この第１カードリーダライタ装置２５が遊技カード排出手段として機能し、情報書込装置４３が有価価値情報書込手段として機能する。
【００５０】
次に、上記したカード交換発行装置７を電気的に制御する電気的制御装置３１を、図５に基づき説明する。
この電気的制御装置３１は、図５に示すように、相互に電気的に連絡したＣＰＵ（中央演算装置）６０，ＲＯＭ（リードオンリメモリ）６１，ＲＡＭ（ランダムアクセスメモリ）６２，ＥＥＰＲＯＭ（書き換え可能リードオンリメモリ）６３が設けられ、ＣＰＵ６０には、動作クロックを供給するためのクロック発生器（クリスタル）６４が電気的に連絡している。また、この電気的制御装置３１には、電源供給装置６５を介して電源が供給されている。
【００５１】
そして、この電気的制御装置３１は、ＰＩＯ（パラレルＩＯ）６６を介してインターフェイス回路（Ｉ／Ｆ）６７と電気的に連絡し、このインターフェイス回路６７は、不具合カード回収装置４５，第１カードリーダライタ装置２５，カードストック装置２６，第２カードリーダライタ装置２７，カード回収装置２８，硬貨判別装置２９，硬貨ストック装置３０，表示装置２４（ＬＣＤ），ブザー３３，プリンタ３２が電気的に接続しており、これらの装置を電気的に制御するとともに、情報の授受を行っている。また、この電気的制御装置３１は、通信インターフェイス回路（通信Ｉ／Ｆ）６８を介して、モデム等からなる信号変換装置６９と電気的に連絡しており、この信号変換装置６９は、電話回線１６等を介してカード交換会社に設けたカードデータ収集装置１７と電気的に連絡している。
【００５２】
上記した信号変換装置６９及び電気的制御装置３１が、他店カード情報送信手段，有価価値情報受取手段，書込形式情報要求手段として機能する。また、上記した認識情報読込端子５１及び電気的制御装置３１が、認識情報確認手段として機能する。また、上記したＥＥＰＲＯＭ６３が、有価価値情報記憶手段として機能する。
【００５３】
次に、図６から図９に基づいて、上記したカード交換発行装置７における、遊技カード３の発行手順について説明する。
図６はカード交換発行装置７における処理の概略手順を示したフローチャートであり、図７は図６に示したカード交換処理の手順を示したフローチャートであり、図８は図６に示したＮＧ処理の手順を示したフローチャートであり、図９は図６に示した精算処理の手順を示したフローチャートである。
【００５４】
図６に示すように、カード交換発行装置７に電源が投入されると（Ｓ１）、カード交換発行装置７を構成する各機器の状態を判断し（Ｓ２）、カードストック装置２６から、当該パチンコ店１で使用するカード認識情報を読み込む（Ｓ３）。
【００５５】
次に、カード交換会社のデータ収集装置１７に対して、読み込んだカード認識情報に基づく遊技カード３の書込フォーマット及びベリファイコードを要求する（Ｓ４）。
【００５６】
そして、カード交換会社のデータ収集装置１７からデータが送信されてきたかどうかを確認し（Ｓ５）、データが送信されてきた場合には、送信されてきた遊技カード３への書込フォーマット及びベリファイコードを、メモリ上のワークエリアに記憶し（Ｓ６）、他店発行の遊技カード３が、第２カードリーダライタ装置２７内に挿入されたかどうかを判断し（Ｓ７）、他店発行の遊技カード３の挿入があった場合には、カード交換処理（Ｓ８）を行う。
【００５７】
一方、他店発行の遊技カード３が挿入されない場合には、ＮＧ処理（Ｓ９）を行った後、精算処理（Ｓ１０）を行って、他店発行のカード挿入判断処理（Ｓ７）以下の処理を繰り返す。
【００５８】
また、受信データ確認処理（Ｓ５）において、カード交換会社のデータ収集装置１７からデータが送信されてこない場合には、予め定めた所定時間が経過したかどうかを判断し（Ｓ１１）、タイムアップするまでの間、カード交換会社のデータ収集装置１７に対する送信要求を繰り返す。ここで、タイムアップしてしまった場合には、ブザー３３及び表示装置２４（ＬＣＤ）にＮＧ情報を表示して、ＮＧ処理（Ｓ９）に移行する。
【００５９】
上記したカード交換処理（Ｓ８）では、図７に示したように、第２カードリーダライタ装置２７内に挿入された他店発行の遊技カード３からカードデータを読み取り（Ｓ８ａ）、カード交換会社のデータ収集装置１７に対して、読み取ったカードデータを送信する（Ｓ８ｂ）。なお、第２カードリーダライタ装置２７により読み取るカードデータは、当該遊技カード３に記憶されている生データであり、カード交換会社内のデータ収集装置１７により、生データの解析及び変換が行われる。
【００６０】
そして、カード交換会社のデータ収集装置１７からの解析されたカードデータを解析データとして送信されてくるのを待つ（Ｓ８ｃ，Ｓ８ｄ）。ここで、予め定めた所定時間の間に、解析データを受信しない場合には、上記したＮＧ処理（Ｓ９）を行う。
【００６１】
また、カード交換会社のデータ収集装置１７から解析データを受信した場合には、受信したデータにベリファイＮＧコードが含まれているかどうかを判断する（Ｓ８ｅ）。ここで、ベリファイＮＧコードが含まれている場合には、第２カードリーダライタ装置２７内から他店発行の遊技カード３を排出して（Ｓ８ｆ）、処理を復帰する。
【００６２】
一方、ベリファイＮＧコードが含まれていない場合には、受信した解析データをメモリに記憶する（Ｓ８ｇ）。メモリに記憶する解析データは、例えば、「Ａ遊技カード３が１０００円分」等のデータである。
【００６３】
そして、硬貨投入口２３から手数料が投入されるのを待つ（Ｓ８ｈ，Ｓ８ｉ）。ここで、予め定めた所定時間内に手数料が投入されない場合には、メモリをクリアし（Ｓ８ｊ）、第２カードリーダライタ装置２７内に挿入された遊技カード３を排出して（Ｓ８ｋ）、処理を復帰する。
【００６４】
一方、硬貨投入口２３から手数料が投入されると、当店で使用可能な遊技カード３をカードストック装置２６から取り出して、第１カードリーダライタ装置２５内に取り込み（Ｓ８ｌ）、情報書込装置４３により、メモリに記憶した解析データ及び先にカード情報収集装置から受け取った書込フォーマットに基いて、遊技カード３に有価価値情報等を書き込む（Ｓ８ｍ）。例えば、有価価値情報が書き込まれていないカード（所謂生カード）に上記情報変換分の有価価値情報を書き込む。
【００６５】
次に、カード鑑定装置４２におけるベリファイコードをチェック（鑑定）（Ｓ８ｎ）し、不具合カードであると鑑定した場合には、当該遊技カード３を不具合カード回収装置４５により回収して（Ｓ８ｏ）、遊技カード３の取出処理（Ｓ８ｌ）へ戻る。
【００６６】
一方、正規カードであると鑑定した場合には、遊技カード３を使用可能とするために情報の再エンコードをかけて（Ｓ８ｐ）、ＥＥＰＲＯＭ６３にカード情報の交換に関する情報、例えば交換したカードの有価価値，枚数，手数料等の情報を記録し（Ｓ８ｑ）、メモリ上のワークエリアをクリアし（Ｓ８ｒ）、第１カードリーダライタ装置２５内から当該パチンコ店１で使用可能な新たな遊技カード３を排出して（Ｓ８ｓ）、処理を復帰する。
【００６７】
上記したＮＧ処理（Ｓ９）では、図８に示すように、まず、ＮＧが発生しているかどうかを判断し（Ｓ９ａ）、ＮＧが発生していない場合には、処理を復帰する。
【００６８】
一方、ＮＧが発生している場合には、ＮＧ内容を確認し、通信ＮＧ，自己診断ＮＧ，ＥＥＰＲＯＭ６３のＮＧである場合には（Ｓ９ｂ，Ｓ９ｃ）、ブザー３３及び表示装置２４（ＬＣＤ）によりＮＧが発生した旨を報知して（Ｓ９ｄ）、処理を中断する。すなわち、これらのＮＧは、カード交換発行装置７における重大なＮＧであるため、処理を中断して、パチンコ店員等により不具合が取り除かれるのを待つのである。
【００６９】
また、上記したＮＧではない場合、すなわち、カード詰まり，カード回収装置２８が満杯，カードストック装置２６にカードが無い，硬貨ストック装置３０が満杯というＮＧである場合には（Ｓ９ｅ）、ブザー３３及び表示装置２４（ＬＣＤ）によりＮＧが発生した旨を報知して（Ｓ９ｆ）、処理を復帰する。
【００７０】
上記した精算処理（Ｓ１０）では、図９に示すように、まず、カード交換会社のデータ収集装置１７からデータ収集コマンドが送信されてきたかどうかを判断する（Ｓ１０ａ）。ここで、データ収集コマンドが送信されてこなければ処理を復帰する。
【００７１】
一方、データ収集コマンドが送信されてきた場合には、ＥＥＰＲＯＭ６３に記憶したカード情報の交換に関する情報、例えば交換したカードの有価価値，枚数，手数料等の情報を、カード交換会社のデータ収集装置１７に送信し（Ｓ１０ｂ）、データ収集装置１７から送信ＯＫコマンドが送信されてくるのを待つ（Ｓ１０ｃ，Ｓ１０ｄ）。この様にして、変換した有価価値情報に基づいて、カード会社間の精算が行なわれる。
【００７２】
ここで、予め定めた所定時間内に送信ＯＫコマンドを受信しない場合には（Ｓ１０ｄ）、ＥＥＰＲＯＭ６３に記憶したデータをプリンタ３２により印字して（Ｓ１０ｅ）、処理を復帰する。本実施例では、この様な形態で、ホールにアクセスした来歴を残すのである。
【００７３】
また、送信ＯＫコマンドを受信した場合には、送信したデータをプリンタ３２により印字して（Ｓ１０ｆ）、ＥＥＰＲＯＭ６３をクリアし（Ｓ１０ｇ）、処理を復帰する。
【００７４】
次に、カード交換会社に設置されたデータ収集装置１７及びこれを電気的に制御する電気的制御装置７０を図１０に基づき説明する。
このデータ収集装置１７を電気的に制御する電気的制御装置７０は、図１０に示すように、相互に電気的に連絡したＣＰＵ（中央演算装置）７１，ＲＯＭ（リードオンリメモリ）７２，ＲＡＭ（ランダムアクセスメモリ）７３が設けられ、ＣＰＵ７１には、動作クロックを供給するためのクロック発生器（クリスタル）７４が電気的に連絡している。また、この電気的制御装置７０には、電源供給装置７５を介して電源が供給されている。
【００７５】
そして、この電気的制御装置７０は、インターフェイス回路（Ｉ／Ｆ）７６を介して、遊技カード３への書込形式に関する加盟しているすべてのカード会社の情報（遊技カード３の書込みフォーマット）等を記憶するためのハードディスク記憶装置７７と、警報音を発生するためのブザー７８とが、電気的に連絡している。
【００７６】
また、この電気的制御装置７０は、通信インターフェイス回路（通信Ｉ／Ｆ）７９を介して、モデム等からなる信号変換装置８０が電気的に連絡しており、この信号変換装置８０は、電話回線１６等を介して各パチンコ店１に設置したカード交換発行装置７と電気的に連絡して、遊技カード３に関する情報を送受信している。
【００７７】
さらに、この電気的制御装置７０は、通信インターフェイス回路７９を介して、カード交換会社内に設置した管理装置８１と連絡している。なお、先に説明したように、このデータ収集装置１７は、カード交換会社内に設置した管理装置８１と一体に構成してもよい。
【００７８】
上記した電気的制御装置７０がカード情報解析手段として機能する。また、信号変換装置８０及び電気的制御装置７０が有価価値情報送信手段，書込形式情報送信手段として機能する。
【００７９】
次に、図１１，図１２に基づき、カードデータ収集装置１７における処理の手順を説明する。
図１１はデータ収集装置における処理の概略手順を示したフローチャートであり、図１２は図１１に示したデータ解析処理の手順を示したフローチャートである。
【００８０】
図１１に示すように、データ収集装置１７において、電源が投入されると（Ｓ１１）、データ収集装置１７を構成する各機器の状態を判断する（Ｓ１２）。
【００８１】
次に、データ解析処理（Ｓ１３）を行い、カード会社の管理装置９からパチンコ店への月締め要求信号が送信されてくるのを待つ（Ｓ１４）。ここで、月締め要求信号が送信されてくると、指定されたパチンコ店に対してデータ収集コマンドを送信し（Ｓ１５）、予め定めた所定時間だけ、パチンコ店１からデータが送られてくるのを待つ（Ｓ１６，Ｓ１７）。
【００８２】
ここで、予め定めた所定時間内に、パチンコ店１からデータが送られてこない場合には（Ｓ１７）、ブザー７８によりその旨を報知し（Ｓ１８）、ＮＧ情報をカード会社の管理装置９に送信して（Ｓ１９）、データ解析処理（Ｓ１３）に戻る。
【００８３】
一方、指定したパチンコ店１からデータが送られてきた場合には、当該パチンコ店１に対して送信ＯＫコマンドを送信し（Ｓ２０）、受信したデータをファイル化してメモリに記録し（Ｓ２１）、カード会社の管理装置９に対してファイル化した情報を送信し（Ｓ２２）、受信したデータをクリアし（Ｓ２３）、データ解析処理（Ｓ１３）へ戻る。
【００８４】
上記したデータ解析処理（Ｓ１３）では、図１２に示すように、まず、パチンコ店１のカード交換発行装置７から当該パチンコ店１の遊技カード３に関する書込フォーマットの送信要求があるかどうかを判断する（Ｓ１３ａ）。
【００８５】
そして、書込フォーマットの送信要求があった場合には、当該パチンコ店１の解析データをハードディスク記憶装置７７から読み込み（Ｓ１３ｂ）、当該パチンコ店１のカード交換発行装置７に対して解析データを送信する（Ｓ１３ｃ）。この解析データは、遊技カード３に対する書込フォーマットと、ベリファイコードとからなる。
【００８６】
一方、書込フォーマットの送信要求がない場合には、上記した各処理（Ｓ１３ｂ，Ｓ１３ｃ）をスキップして、パチンコ店１のカード交換発行装置７から他パチンコ店発行の遊技カード３のデータが送信されてきたかどうかを判断する（Ｓ１３ｄ）。
【００８７】
そして、他パチンコ店発行の遊技カード３のデータが送信されてきた場合には、対応するカード解析データをハードディスク記憶装置７７から読み込み（Ｓ１３ｅ）、受信した他パチンコ店発行の遊技カード３のデータを解析する（Ｓ１３ｆ）。
【００８８】
次に、解析が正常に行われたかどうかを判断し（Ｓ１３ｇ）、解析が正常に行われた場合には、当該パチンコ店１のカード交換発行装置７に対して解析データを送信し（Ｓ１３ｈ）、処理を復帰する。一方、解析で異常が発生した場合には、当該パチンコ店１のカード交換発行装置７に対してベリファイＮＧコードを送信して（Ｓ１３ｉ）、処理を復帰する。
【００８９】
また、上記した他パチンコ店の遊技カード３のデータ受信確認処理（Ｓ１３ｄ）において、データを受信しなかった場合には、上記した各処理（Ｓ１３ｅ〜Ｓ１３ｉ）をスキップして、処理を復帰する。
【００９０】
次に、図２に基づき、以上説明したカード情報交換システムにおける遊技カード３の発行及び精算を、具体的に説明する。
Ａカード会社ではＡ遊技カード３ａを発行し、Ａ遊技カード３ａを使用するＡパチンコ店１ａに、Ａ遊技カード３ａを納入する。このとき、Ａパチンコ店１では、Ａカード会社に対して、Ａ遊技カード３ａの発行手数料１４円を含めて、１０１４円を支払う。
【００９１】
このＡパチンコ店１ａにおいて、遊技者は、１０００円を支払うことにより、１０００円のＡ遊技カード３ａを購入することができ、このＡ遊技カード３ａを使用してＡパチンコ店１ａで遊技を行なうことができる。
【００９２】
Ａパチンコ店１ａにおいてＡ遊技カード３ａが使用されると、その使用に係る精算が、Ａカード会社との間で行われる。
【００９３】
また、Ｂカード会社ではＢ遊技カード３ｂを発行し、Ｂ遊技カード３ｂを使用するＢパチンコ店１ｂに、Ｂ遊技カード３ｂを納入する。このとき、Ｂパチンコ店１では、Ｂカード会社に対して、Ｂ遊技カード３ｂの発行手数料１４円を含めて、１０１４円を支払う。
【００９４】
このＢパチンコ店１ｂにおいて、遊技者は、１０００円を支払うことにより、１０００円のＢ遊技カード３ｂを購入することができ、このＢ遊技カード３ｂを使用してＢパチンコ店１ｂで遊技を行なうことができる。
【００９５】
Ｂパチンコ店１ｂにおいてＢ遊技カード３ｂが使用されると、その使用に係る精算がＢカード会社との間で行われる。
【００９６】
Ａ遊技カード３ａを使用してＢパチンコ店１ｂで遊技を行なう場合は、１０００円の有価価値を有するＡ遊技カード３ａを所有している遊技者は、このＡ遊技カード３ａをカード交換発行装置７に挿入するとともに、交換手数料として３００円を投入することにより、Ｂパチンコ店１ｂで使用可能な、１０００円の有価価値を有するＢ遊技カード３ｂとの交換を行うことができる。
【００９７】
カード交換発行装置７を設置しているＢパチンコ店１ｂでは、カード交換会社に対して、所定の手数料を支払う。
【００９８】
また、Ｂパチンコ店１ｂにおいて、Ａ遊技カード３ａの交換が行われた場合に、Ａカード会社からカード交換会社に対して、交換したＢ遊技カード３ｂの有価価値分として１０００円が支払われ、遊技カード３の交換に伴う精算が行われる。
【００９９】
なお、上記した実施例では、交換手数料を遊技者に対して有料としたが、無料にしてもよい。また、上記実施例では代表的な遊技機としてパチンコ機２を使用したパチンコ店について説明したが、本発明は、上記したパチンコ機２の他に、遊技カード３を使用して遊技を行う、いわゆるパチスロ機、雀球遊技機、アレンジボール式遊技機、スロットマシン等の遊技機を設置したパチンコ店においても応用することができる。
【０１００】
さらに、本発明は、上記した遊技カード３を使用したパチンコ店からなるカード式遊技設備のみではなく、他のプリペイドカード、例えば、地下鉄などの交通機関，コンビニエンスストア，公衆電話等を使用するためのプリペイドカードシステムにおいて、プリペイドカードに記憶した情報を相互に交換する場合にも、応用することができる。
【０１０１】
【発明の効果】
本発明は、上記した構成からなるので、以下に説明するような効果を奏することができる。
すなわち、ある遊技店により発行された遊技カードとは情報書込形式の異なる他遊技店により発行された遊技カードを、前記ある遊技店であるところの当該遊技店において使用しようとする場合には、この遊技カードに記憶した有価価値情報をカード情報交換装置により、前記当該遊技店で使用可能な遊技カードに移動することができる。
【０１０４】
したがって、遊技者は、予め、利用する遊技店のグループ毎に複数種類の遊技カードを購入する必要がなく、遊技者の負担を軽減することができる。また、利用頻度の少ないグループに属する遊技カードを購入してしまった場合であっても、当該遊技カードの残高が無駄になって、遊技者に不利益を与えることがなく、遊技店における遊技の興趣を損ねることがない。
【０１０５】
そして、有価価値情報書込手段により、遊技カードに有価価値情報を書き込む際に、その書込形式は、カード交換会社の管理装置から送られてくる。
したがって、異なる種類の書込形式に対応させてカード情報交換装置を使用することができるので、カード情報交換装置の汎用性を高めることができる。
【０１０６】
また、遊技カードに対する情報の書込形式が、カード交換会社の管理装置により管理されているので、遊技カードに対するセキュリティを向上させることができる。
【０１０７】
また、カード情報交換装置におけるカード情報の交換において、有価価値情報記憶手段により、有価価値情報受取手段により受け取った有価価値情報を記憶することができる。
したがって、遊技カードの情報交換を行った遊技店において、情報交換履歴を記憶しておくことができるので、カード交換会社との間における精算に対する信頼性を高めることができる。
【図面の簡単な説明】
【図１】パチンコ店における装置の概略配置を示したブロック図である。
【図２】パチンコ店と、遊技カードの発行及び精算を管理するカード会社と、カード情報の交換及び精算を管理するカード交換会社との関係を示す説明図である。
【図３】カード交換発行装置の正面図である。
【図４】第１カードリーダライタ装置を示し、図４（Ａ）は第１カードリーダライタ装置の正面図であり、図４（Ｂ）は第１カードリーダライタ装置の内部構造を示した側面図である。
【図５】カード交換発行装置及びこれをを電気的に制御する電気的制御装置の概略構成を示すブロック図である。
【図６】カード交換発行装置における処理の概略手順を示したフローチャートである。
【図７】図６に示したカード交換処理の手順を示したフローチャートである。
【図８】図６に示したＮＧ処理の手順を示したフローチャートである。
【図９】図６に示した精算処理の手順を示したフローチャートである。
【図１０】データ収集装置及びこれを電気的に制御する電気的制御装置の概略構成を示すブロック図である。
【図１１】データ収集装置における処理の概略手順を示したフローチャートである。
【図１２】図１１に示したデータ解析処理の手順を示したフローチャートである。
【符号の説明】
１  パチンコ店
２  パチンコ機
３  遊技カード
４  カード発行機
５  カード式台間玉貸機
６  玉計数機
７  カード交換発行装置
８  第１店内伝送路
９  管理装置
１０  中継器
１１  第２店内伝送路
１２  カードデータ転送装置
１３  第３店内伝送路
１４  管理装置（カード会社）
１５  電話回線
１６  電話回線
１７  データ収集装置（カード交換会社）
１８  電話回線
（カード交換発行装置７）
２０  本体
２１  遊技カード発行口
２２  遊技カード挿入口
２３  硬貨投入口
２４  表示装置
２５  第１カードリーダライタ装置
２６  カードストック装置
２７  第２カードリーダライタ装置
２８  回収装置
２９  硬貨判別装置
３０  硬貨ストック装置
３１  電気的制御装置
３２  プリンタ
３３  ブザー
（第１カードリーダライタ装置２５）
４０  カード搬送路
４１  カード取出装置
４２  カード鑑定装置
４３  情報書込装置
４４  カード転送装置
４５  不具合カード回収装置
４６  カード導出装置
４７  不具合カード搬送路
４８  カード回収タンク
４９  遊技カード取出口
５０  カードセンサ
５１  認識情報読込端子
（カード交換発行装置７の電気的制御装置３１）
６０  ＣＰＵ
６１  ＲＯＭ
６２  ＲＡＭ
６３  ＥＥＰＲＯＭ
６４  クロック発生器
６５  電源供給装置
６６  ＰＩＯ
６７  インターフェイス回路
６８  通信インターフェイス回路
６９  信号変換装置
（データ収集装置１７）
７０  電気的制御装置
７１  ＣＰＵ
７２  ＲＯＭ
７３  ＲＡＭ
７４  クロック発生器
７５  電源供給装置
７６  インターフェイス回路
７７  ハードディスク記憶装置
７８  ブザー
７９  通信インターフェイス回路
８０  信号変換装置
８１  管理装置（カード交換会社）
【図１】
0003865417.tif 000002
【図２】
0003865417.tif 000003
【図３】
0003865417.tif 000004
【図４】
0003865417.tif 000005
【図５】
0003865417.tif 000006
【図６】
0003865417.tif 000007
【図７】
0003865417.tif 000008
【図８】
0003865417.tif 000009
【図９】
0003865417.tif 000010
【図１０】
0003865417.tif 000011
【図１１】
0003865417.tif 000012
【図１２】
0003865417.tif 000013